(57)【要約】【課題】板材を隣り合わせて施工する場合に、その施工性に優れた板材の固定構造を提供する。【解決手段】長尺の板材３が、幅方向である左右方向に所定の間隔をあけて固定部材１を介して根太２に固定される板材３の固定構造であって、固定部材１は、隣合う板材３同士に対して、一方の板材３に取付けられる取付部１１と、他方の板材３を係止する係止部１２と、根太２上に固定具１３を介して固定される固定部１３とを備え、他方の板材３は、その側端部から側方に向けて形成され、その上面が側方に対して斜め上方に面する傾斜受け面部３２を有する下突出部３１を備え、固定部材１の係止部１２と根太２との間に形成された収納空間４内で他の板材３の下突出部３１が係止されるように構成する。【選択図】  図２
2018090970.tif 000002
【特許請求の範囲】
【請求項１】
複数の長尺の板材が、幅方向である左右方向に所定の間隔をあけて固定部材を介して根太に固定される板材の固定構造であって、
前記固定部材は、隣合う板材同士に対して、一方の板材に取付けられる取付部と、他方の板材を係止する係止部と、根太上に固定具を介して固定される固定部とを備え、
前記他方の板材は、その側端部から側方に向けて形成され、その上面が側方に対して斜め上方に面する傾斜受け面を有する下突出部を備え、
前記固定部材の係止部と根太との間に形成された収納空間内で他の板材の下突出部が係止されていることを特徴とする板材の固定構造。
【請求項２】
前記固定部材の係止部の先端部と前記下突出部の基端部との間には隙間が形成されると共に、係止部の下側面部と下突出部との間に隙間が形成されていることを特徴とする請求項１に記載の板材の固定構造。
【請求項３】
前記固定部材の係止部の下側面部は、下方に向かうほど係止部の中央側へ切り欠かれた切欠部を有しており、板材の左下突出部の突出先端部に対して、下方に向かうほど左右方向の離間寸法を大きくしていることを特徴とする請求項１又は２に記載の板材の固定構造。
【発明の詳細な説明】
【技術分野】
【０００１】
本発明は、遊歩道や公園施設において設置されるベンチやテーブル，八ツ橋，ボードウォークの他、競技場観覧席、或いはベランダやテラスの直貼り式の板材を根太に固定するための板材の固定構造に関するものである。
【背景技術】
【０００２】
一般に根太に板材を取り付けて形成する直貼り式の形態は、根太と横切る方向に板材を配置し、根太と板材とが交差する部位で固定用の部材を用いて固定している。固定作業に際しては、板材の表面に釘やボルト等の締結手段が表れた状態では外観上見苦しく、また引っかかる恐れがあることから、板材の厚みを大きいものとし、板材の側端下方に突出部を設け、固定用の部材と根太との間に突出部を挟んで固定することで、固定が容易で締結手段が表面に表れることがない板材の固定構造が用いられてきている。
【０００３】
かかる直貼り式の形態については、例えば根太と、根太の上部に固定される台座部、及びこの台座部の上部に左右向きに形成される翼部からなり、上記台座部を通過して上下に貫通するビス孔が穿設された固定具と、上記根太間に並置される長尺板材からなり、両側部にはそれぞれ上記固定具の翼部の介在が可能な収納凹部が形成され、上記両側部の下部には突出部がそれぞれ形成されたデッキ材とを有し、隣接する上記デッキ材間の両収納凹部により形成された空間部に上記固定具の翼部を介在させるとともに、この固定具の台座部に両側からそれぞれ上記デッキ材の各突出部を当接させて配置し、上記両デッキ材の上部間に形成された隙間から工具を差し込んで上記固定具のビス孔にビスを螺設し、この固定具とともに上記デッキ材を上記根太の上部に固定したことを特徴とするデッキ材取付構造が開示されている（例えば特許文献２）。
【先行技術文献】
【特許文献】
【０００４】
【特許文献１】特開２０１０−１５０７７９号公報
【発明の概要】
【発明が解決しようとする課題】
【０００５】
しかしながら、特許文献１に記載のような従来のデッキ材の固定構造では、隣接するデッキ材同士を固定する際に、一つの固定具で両側のデッキ材を固定するため、一方のデッキ材を固定して、その後隣接するデッキ材を固定するような操作が難しく、つまり固定具で同時に固定する必要があり、施工誤差が生じるおそれがあり、施工後においてデッキ材の固定状態の緩み等が生じるおそれがあった。
【０００６】
本発明は上記の如き課題に鑑みてなされたものであり、板材を隣り合わせて施工する場合に、その施工性に優れた板材の固定構造を提供せんとするものである。
【課題を解決するための手段】
【０００７】
上記目的を達成するために、本発明は次のような構成としている。
すなわち、本発明に係る板材の固定構造は、複数の長尺の板材が、幅方向である左右方向に所定の間隔をあけて固定部材を介して根太に固定けられる板材の固定構造であって、前記固定部材は、隣合う板材同士に対して、一方の板材に取付けられる取付部と、他方の板材を係止する係止部と、根太上に固定具を介して固定される固定部とを備え、前記他方の板材は、その側端部から側方に向けて形成され、その上面が側方に対して斜め上方に面する傾斜受け面を有する下突出部を備え、前記固定部材の係止部と根太との間に形成された収納空間内で他の板材の下突出部が係止されていることを特徴とするとするものである。
【０００８】
本発明において、固定部材の係止部の先端部と下突出部の基端部との間には隙間が形成されると共に、係止部の下側面部と下突出部との間に隙間が形成されるように構成してもよい。
【０００９】
また、本発明において、固定部材の係止部の下側面部は、下方に向かうほど固定部の中央側へ切り欠かれた切欠部を有しており、板材の左下突出部の突出先端部に対して、下方に向かうほど左右方向の離間寸法を大きくなるように構成してもよい。
【発明の効果】
【００１０】
本発明によれば、固定部材は、隣合う板材同士に対して、一方の板材に取付けられる取付部と、他方の板材を係止する係止部と、根太上に固定具を介して固定される固定部とを備え、前記他方の板材は、その側端部から側方に向けて形成され、その上面が側方に対して斜め上方に面する傾斜受け面を有する下突出部を備え、前記固定部材の係止部と根太との間に形成された収納空間内で他の板材の下突出部が係止されているので、固定部材によって根太上に一方の板材を固定した後に、他方の板材は下突出部を収納空間内に係止するだけでよく、そして、この操作を繰り返すことによって、複数の板材を根太上に並べて固定することができる。
【００１１】
本発明において、固定部材の係止部の先端部と下突出部の基端部との間には隙間が形成されると共に、係止部の下側面部と下突出部との間に隙間が形成されるように構成しておけば、固定部材が取付けられている板材の側端部を持ち上げると、下突出部の係止状態が緩んで隙間が生じるため、隙間を少なくする方向に板材を移動すると、該板材の係止状態が緩み、これを繰り返すことによって、該板材を取り外すことができる。
【００１２】
また、本発明において、固定部材の係止部の下側面部は、下方に向かうほど係止部の中央側へ切り欠かれた切欠部を有しており、板材の左下突出部の突出先端部に対して、下方に向かうほど左右方向の離間寸法を大きくしておけば、固定部材が取付けられている板材の側端部を持ち上げると、下突出部の係止状態が緩んだ際、隙間が大きくなりやすいため、板材を取り外しやすくなる。
【図面の簡単な説明】
【００１３】
【図１】本発明に係る板材の固定構造に用いられる固定部材の実施の一形態を示す説明図である。
【図２】本発明に係る板材の固定構造の実施の一形態において、固定部材付近の断面図である。
【図３】本発明に係る板材の固定方法の実施の一形態を示す説明図である。
【図４】本発明に係る板材の固定構造の実施の一形態を示す説明図である。
【図５】本発明に係る板材の固定構造の実施の他の形態を示す説明図である。
【図６】本発明に係る板材の固定構造において板材の取り外し方法の一形態を示す説明図である。
【図７】本発明に係る板材の固定構造において板材の取り外し方法の一形態を示す説明図である。
【図８】本発明に係る板材の固定構造において板材の取り外し方法の一形態を示す説明図である。
【図９】本発明に係る板材の固定構造において板材の取り外し方法の一形態を示す説明図である。
【図１０】本発明に係る板材の固定構造において板材の取り外し方法の一形態を示す説明図である。
【図１１】本発明に係る板材の実施の一形態を示す断面図である。
【図１２】本発明に係る板材の実施の他の形態を示す断面図である。
【発明を実施するための形態】
【００１４】
次に、本発明を実施するための最良の形態について図面を参照し、具体的に説明する。
【００１５】
図１は、本発明に係わる板材の固定構造に用いられる固定部材の、実施の一形態を示す説明図であって、（ａ）は正面図、（ｂ）は平面図、（ｃ）は（ｂ）のＡ−Ａ線の断面図である。固定部材１は、斜め方向に延びる二本の腕部同士が接続された略Ｖ字状の断面形状であって、略Ｖ字状の一方の腕部が取付部１１、他方の腕部が係止部１２であって、取付部１１と係止部１２とを接続する固定部１３とを備えている。取付部１１は厚さ方向に貫通する貫通孔１１ａを有し、固定部１３は上下方向に貫通する貫通孔１３ａを有している。
【００１６】
図２は、固定部材１を介して根太２に固定された板材３において固定部材１付近の縦断面図である。根太２上には、二個の板材３が幅方向である左右方向に隙間をあけて配置されており、隣合う板材３の間に固定部材１が位置している。固定部材１は、固定部１３の貫通孔１３ａに挿通されたビス１４によって根太２上に固定されている。隣合う板材３の隙間の左右方向の間隔は、特に限定されるものではないが、作業者が板材３上から固定部材１の固定作業や取り外し作業ができることが好ましく、具体的には、固定部材１の固定部１３のビス１４を締結したり、緩めたりするためのドライバー等の工具が入るものであればよい。
【００１７】
隣合う二個の板材３のうち、一方の板材３は固定部材１の取付部１１に取付けられており、他方の板材３は、その側端部から側方に向けて形成された下突出部３１を有しており、下突出部３１は、固定部材１の係止部１２と根太２との間に形成された収納空間４内に配置されている。
【００１８】
次に、板材の固定構造について、図３〜図５に基づき更に詳しく説明する。一般には、根太２上に板材３を左右方向に複数並設する場合は、並設する板材３の左右方向の一方の端部に位置する板材３を根太２上に固定し、続いて隣合う板材３を順に取り付ける、いわゆる、片追い型の固定方法が用いられることが多いため、以下もこの固定方法に従って説明するが、特にこの方法に限定されるものではない。なお、図３〜図９に記載された板材３の下突出部３１において、便宜上、右側の下突出部３１を右下突出部３１ａ、左側の下突出部３１を左下突出部３１ｂとして説明する。
【００１９】
図３は、左右方向に複数並設された板材の左側端部に配置される板材の固定構造を示す説明図である。まず、根太２上に板材３を配置し、固定部材１を介して板材３の一方の側端部を根太２に固定する。本形態では、板材３は、その左右の両側端部に下突出部３１を有しており、下突出部３１は、その上面が側方に対して斜め上方に面する傾斜受け面部３２を有している。
【００２０】
右下突出部３１ａの傾斜受け面部３２に固定部材１の取付部１１を当接させて、取付部１１の貫通孔１１ａから傾斜受け面部３２にビス１５を螺入し、右下突出部３１ａに取付部１１を取付ける。また、固定部材１の固定部１３の貫通孔１３ａから根太２にビス１４を螺入して、固定部材１を根太２上に固定する。これにより、右下突出部３１ａは固定部材１を介して根太２に固定されて、板材３を根太２に固定することができる。固定手順としては、本手順に限定されるものではなく、例えば、固定部１３を根太２上に固定した後に、取付部１１を板材３の右下突出部３１ａに取付けてもよい。
【００２１】
続いて、板材３の反対側の左下突出部３１ｂを根太２に固定する。固定手順は、上記に示した板材３の右下突出部３１ａを固定した手順と同様であって、左下突出部３１ｂを固定する点が異なるのみであるため、既に説明した内容と同じ構成要素には同じ符号を付し、その説明は省略する。なお、本形態では、固定部材１を用いて左下突出部３１ｂを根太２に固定しているが、左下突出部３１ｂ側に隣合う板材３がないことから、左下突出部３１ｂを根太２に固定できるものであればよく、例えば、固定部材１の代わりに、取付部１１と固定部１３とに相当する部位を備えた部材を用いてもよい。
【００２２】
図４は、根太に固定された板材の右隣に別の板材の固定構造を示す説明図である。根太２に既に固定した板材３の右側に次の板材３を固定するものであって、その手順は、まず、次の板材３の左下突出部３１ｂを、根太２に既に固定された固定部材１の係止部１２と根太２の上面との間の収納空間４の奥まで挿入し、傾斜受け面部３２が係止部１２に当接し、左下突出部３１ｂの下面側が根太２の上面に当接した状態とする。続いて、次の板材３において、別の固定部材１によって反対側の右下突出部３１ａを根太２に固定する。固定手順は、既に固定した板材３の右下突出部３１ａを根太２に固定した手順と同様であるので、既に説明した内容と同じ構成要素には同じ符号を付し、その説明は省略する。
【００２３】
これにより、左右方向に隣合わせて板材３を根太２に固定することができる。すなわち、右隣りの板材３は、左下突出部３１ｂを収納空間４の奥まで挿入するだけでよく、例えば、左下突出部３１ｂを固定するためにビス１４を増し締めしたり、あるいは、ビス１４を一端緩めた後再び増し締めしたりして、根太２と固定部材１との間に左下突出部３１ｂを挟み込むような作業は必要ない。従って、既に固定された固定部材１はそのままでよいので、既に取り付けた板材３の固定状態が緩んだりするような不具合は生じにくい。
【００２４】
図５は、図４に示された次の板材３の右隣に更に別の板材３を固定する固定構造を示す説明図である。固定方法は上述と同様であるので詳しい説明は省略するが、このように同様な操作を繰り返すことにより、多数の板材３を根太２に隣合わせて固定することができる。
【００２５】
次に、根太２に固定された板材３を取外すための取り外し方法について、図６〜図１０に基づき詳しく説明する。図６〜図１０において、便宜上、三個の板材３は左から、板材３ａ、板材３ｂ、板材３ｃと表記し、三個のうち中央に位置する板材３ｂを取り外す場合について説明する。
【００２６】
図７は、図６における固定部材付近の説明図、図８は図６において取り外されている板材と固定部材との関係を示す説明図である。すなわち、取り外される板材３ｂにおいて、図７は右側端部付近を示しており、図８は左側端部付近を示している。まず、板材３ｂの右下突出部３１ａ側の固定部材１において、ビス１４を根太２から外す。ここで、固定部材１の係止部１２の下側面部１６は、板材３ｃの左下突出部３１ｂとの間に隙間を有している。これにより、板材３ｂの右側をＹ方向である上方に僅かに持ち上げた際、当接していた係止部１２と左下突出部３１ｂの傾斜受け面部３２との間に隙間Ｓ１が生じ、かつ、下側面部１６と左下突出部３１ｂの突出先端部３３との間にも隙間Ｓ２が生じる。
【００２７】
続いて、板材３ｂと一緒に固定部材１をＸ方向である板材３ｂ側に移動させると、板材３ｂの左下突出部３１ｂは、挿入されていた収納空間４から僅かに引き抜かれて係止状態が緩むので、固定部材１の係止部１２と傾斜受け面部３２との間に生じる隙間Ｓ５に応じて更に板材３ｂの右側をＹ方向に持ち上げることができる。この作業を繰り返して、図９に示すように、板材３ｂの左下突出部３１ｂを収納空間４から完全に抜き出した後、板材３ｂの左側を上方に持ち上げて、図１０に示すように、板材３ｂを上方に抜き出すことができる。
【００２８】
これにより、設置後に破損したり、変形したりして交換が必要となった特定の板材３ｂのみを取り出すことができる。この際、両隣の板材３ａ、板材３ｃは、固定部材１を介して根太２に固定されており、位置ずれが生じにくい状態を維持できる。また、前述の板材３ｂの取り外し操作と逆の手順によって、取り外した箇所に新しい板材３と固定することができる。
【００２９】
また、図７に示すように、固定部材１の係止部１２の下側面部１６は、本形態では、下方に向かうほど固定部１３の中央側へ切り欠かれた切欠部１７を有しており、板材３ｃの左下突出部３１ｂの突出先端部３３に対して、平面視において、下方に向かうほど左右方向の離間寸法が大きくなっている。これにより、板材３ｂの右側を持ち上げた際、下側面部１６と突出先端部３３との間に比較的大きな隙間が生じやすくなるため、板材３ｂをＸ方向に動かし易くなって、取り外しやすくなる。
【００３０】
更に、板材３ｂの右側を持ち上げる際、板材３ｂの左下突出部３１ｂが収納空間４内で係止されていることから、固定部材１のビス１４を外したのみでは板材３ｂは容易に外れず、板材３ｂ及び固定部材１の少なくとも一方の一部を弾性的に変形させないと板材３ｂの右側を持ち上げることができない形態が好ましい。
【００３１】
例えば、本形態のように、板材３ｂの左下突出部３１ｂが、突出先端部３３付近を支点として、傾斜受け面部３２と左右方向に延びる下面部３４とからなる断面く字状となるように形成して、上下方向に弾性変形しやすい構造としてもよく、板材３ｂに下方に向けて開口する中空部３５を設けて、板材３ｂの中央付近が上方に向けて撓み易い構造としてもよい。
【００３２】
図７、図８に示すように、板材３ｂの左下突出部３１ｂを収納空間４の奥まで挿入した時の挿入寸法Ｓ３は、固定部材１の係止部１２の先端部から板材３ｂの左下突出部３１ｂの基端部までの距離Ｓ４より短いことが好ましい。これにより、図９に示すように、左下突出部３１ｂを収納空間４から完全に抜き出した状態においても、板材３ｂの右下突出部３１ａに取付けられた固定部材１の係止部１２を板材３ｃの左下突出部３１ｂの上方に配置することができるので、板材３ｂを取り外し易くなる。
【００３３】
板材３は、本形態では、図９に示すように、側端部において、下突出部３１と上下方向に間隔をあけて側方に向けて形成された上突出部３６と、下突出部３１と上突出部３６とを両側壁部として側方に開口する開口部３７とを備えている。これにより、板材３上からは、固定部材１の取付部１１とビス１５、係止部１２が見えにくくなる。なお、板材３を取り外す際、開口部３７内の空間は固定部材１の係止部１２が配置できる大きさであることが好ましい。
【００３４】
板材３は、本形態では、長尺であって、図１１に示すように、金属製で内部に長手方向に沿って中空状となされた中空部３５を有する芯材３８と、板材３の利用者等が通行する通行面に当たる芯材の上面部に設けられた合成樹脂製の被覆部３９とを備えている。
【００３５】
芯材３８は、本形態では、薄肉の中空状であって、その中空部３５は、縦壁部によって左右方向に複数に分割されており、下方に向けて一部開口している。本形態においては、左右に４個の中空部を有しており、いずれの中空部も長手方向に切り欠かれて下向きに開口したものであるが、例えば、図１２に示すように、側端部側の中空部３５において、下面部が開口しないようにしてもよい。これにより、板材３の側端部付近の強度を高めることができる。芯材３８は、本形態に限定されるものではなく、板材３を根太２に固定した後、利用者等が板材３上を通行しても容易に変形しないものであることが好ましい。
【００３６】
また、芯材３８の上面部及びその両端部から両側面部の上部にわたって被覆部３９が設けられている。被覆部３９が設けられた上面部及び両側の上側面部には、それぞれ長手方向に沿って連続して蟻溝状の溝部３８ａが設けられており、その溝部３８ａ内に被覆部３９の合成樹脂の一部が充填されている。この構造により、被覆部３９は芯材３８に対してアンカー効果が生じるため、芯材３８に対して左右方向及び上下方向には容易には外れない構造となる。
芯材３８の材質は、金属製のものが好ましく、中でも軽量で、比較的強度が高いアルミニウム合金製型材が好適に用いられる。
【００３７】
被覆部３９は、本形態では、芯材３８の長手方向に対して押出被覆されたものであり、これにより、被覆部３９を形成する合成樹脂を溝部３８ａ内に容易に充填できるので好ましいが、他の形態として、被覆部３９のみを成型して、その後、芯材３８に取付ける形態でもよく、要は、板材３において、芯材３８から被覆部３９が容易に外れない構造であればよく、例えば、芯材３８と被覆部３９との間に接着層を設けた形態でもよい。
【００３８】
固定部材１は、金属製のものが好ましく、中でも軽量で、比較的強度が高いアルミニウム合金製型材が好適に用いられる。また、固定部材１は、板材３の長手方向に沿って取付けられるものであって、本形態では、板材３より短いものであり、例えば、一個の板材３に複数取付けることにより、根太２に板材３をしっかり固定できるものであるが、例えば、板材３の長さと合わせた形態でもよく、板材３の長手方向に沿って連続的に取付けた形態でもよい。このような形態合であっても、前述と同様に特定の板材３ｂを取り外し、その後、新しい板材３を取り付けることができる。
【００３９】
以上、本発明に係る板材の固定構造について、実施形態に基づいて説明したが、本発明は、これらの実施形態に限定されるものではない。本発明の要旨を逸脱しない範囲内で当業者が思いつく各種変形を施したものも本発明の範囲内に含まれる。
【産業上の利用可能性】
【００４０】
本発明によれば、板材を隣り合わせて施工する場合に、施工後に特定の板材のみを取り外し、その後、新しい板材を固定することができるので、遊歩道や公園施設において設置されるベンチやテーブル，八ツ橋，ボードウォークの他、競技場観覧席、或いはベランダやテラスの直貼り式の板材として好適に利用できる。
【符号の説明】
【００４１】
１    固定部材
１１  取付部
１１ａ  貫通孔
１２  係止部
１３  固定部
１３ａ  貫通孔
１４、１５  ビス
１６  下側面部
１７  切欠部
２    根太
３、３ａ、３ｂ、３ｃ  板材
３１  下突出部
３１ａ  右下突出部
３１ｂ  左下突出部
３２  傾斜受け面部
３３  突出先端部
３４  下面部
３５  中空部
３６  上突出部
３７  開口部
３８  芯材
３８ａ  溝部
３９  被覆部
４    収納空間
Ｓ１、Ｓ２、Ｓ３、Ｓ４、Ｓ５  隙間
【図１】
2018090970.tif 000003
【図２】
2018090970.tif 000004
【図３】
2018090970.tif 000005
【図４】
2018090970.tif 000006
【図５】
2018090970.tif 000007
【図６】
2018090970.tif 000008
【図７】
2018090970.tif 000009
【図８】
2018090970.tif 000010
【図９】
2018090970.tif 000011
【図１０】
2018090970.tif 000012
【図１１】
2018090970.tif 000013
【図１２】
2018090970.tif 000014